(57)【要約】  本発明はコレクトコール方法及びシステムに関するもので、より詳細には、受信者の所望する情報をコレクトコールを通じて音声で受信できるようにしたＴＴＳを用いたコレクトコールサービス提供方法及びその装置に関する。本発明によれば、ＴＴＳ-コレクトコールサーバが受信者の端末機から受信したイベント条件及び前記イベント条件を満足するイベントの発生時詳細内容を伝送する通信端末機識別情報を登録するし、前記イベント条件を満足するイベント発生の可否を判断して、前記イベント条件を満足するイベントが発生すれば、前記通信端末機識別情報を含むコレクトコール要請を前記コレクトコール交換器に伝送し、前記コレクトコール要請に相応する前記通信端末機の承認要請を前記コレクトコール交換器を経由して受信して、前記イベントの詳細内容を音声に変換して前記コレクトコール交換器を通じて前記通信端末機に伝送する段階を含むＴＴＳを用いたコレクトコールサービス提供方法が提供される。
2007526672.tif 000002
【特許請求の範囲】
【請求項１】
受信者の端末機及びコレクトコール交換器とネットワークを通じて結合された ＴＴＳ-コレクトコールサーバにて前記受信者の端末機から要請された情報を音声に変換してコレクトコールを通じて前記受信者の通信端末機に提供する方法において、
ＴＴＳ-コレクトコールサーバが受信者の端末機から受信したイベント条件及び前記イベント条件を満足するイベントの発生時詳細内容を伝送する通信端末機識別情報を登録する段階、
前記イベント条件を満足するイベント発生の可否を判断する段階、
前記イベント条件を満足するイベントが発生すると、前記通信端末機識別情報を含むコレクトコール要請を前記コレクトコール交換器に伝送する段階、
前記コレクトコール要請に相応する前記通信端末機の承認要請を前記コレクトコール交換器を経由して受信する段階、及び
前記イベントの詳細内容を音声に変換して前記コレクトコール交換器を通じて前記通信端末機に伝送する段階を含むＴＴＳを用いたコレクトコールサービス提供方法。
【請求項２】
前記イベント条件を満足するイベント発生の可否を判断する段階は、
前記イベント条件を用いて連関性の高い情報を検索する段階、及び
前記検索された情報の一致度（hit ratio）に応じてイベント条件が満足されたのかを判断する段階を含む請求項１に記載のＴＴＳを用いたコレクトコールサービス提供方法。
【請求項３】
前記イベント条件は掲示物の登録である請求項１に記載のＴＴＳを用いたコレクトコールサービス提供方法。
【請求項４】
ＴＴＳ-コレクトコールサーバが受信者の端末機から受信したイベント条件及び前記イベント条件を満足するイベントの発生時詳細内容を伝送する通信端末機識別情報を登録する段階は、
前記受信者の通信端末機から発信された音声呼に相応して前記通信端末機との音声呼を連結する段階、
前記受信者の通信端末機から伝送された音声をテキストに変換する段階、及び
前記変換されたテキストを登録する段階を含むことを特徴とする請求項１に記載のＴＴＳを用いたコレクトコールサービス提供方法。
【請求項５】
前記イベント条件は公知要請の受信である請求項１に記載のＴＴＳを用いたコレクトコールサービス提供方法。
【請求項６】
前記イベント条件は電子メールの受信である請求項１に記載のＴＴＳを用いたコレクトコールサービス提供方法。
【請求項７】
受信者が要請した情報を音声に変換してコレクトコールを通じて前記受信者の通信端末機に提供する装置において、
受信者からイベント条件及び通信端末機識別情報を受信して登録し、前記イベント条件に符合するイベント発生を感知して、前記受信者の通信端末機にコレクトコールを要請して音声呼が繋がれると前記発生されたイベントの詳細内容を音声に変換して前記受信者の通信端末機に伝送するＴＴＳ-コレクトコールサーバ、及び
前記 ＴＴＳ-コレクトコールサーバから前記通信端末機識別情報に相応する前記受信者の通信端末機へのコレクトコール連結要請を受信すると前記受信者の通信端末機に音声呼を連結して、前記ＴＴＳ-コレクトコールサーバから受信した音声を前記受信者の通信端末機に伝送するコレクトコール交換器を含むＴＴＳを用いたコレクトコール装置。
【請求項８】
前記 ＴＴＳ-コレクトコールサーバと前記コレクトコール交換器間に設定された通話路はＶｏＩＰ基盤通話路である請求項７に記載のＴＴＳを用いたコレクトコール装置。
【請求項９】
前記 ＴＴＳ-コレクトコールサーバと前記コレクトコール交換器間に設定された通話路はＰＳＴＮ基盤通話路である請求項７に記載のＴＴＳを用いたコレクトコール装置。
【請求項１０】
前記ＴＴＳ-コレクトコールサーバは少なくとも一つの情報提供サーバとネットワークを通じて結合するし、前記情報提供サーバから受信したアップデート情報を音声に変換して伝送する請求項７に記載のＴＴＳを用いたコレクトコール装置。
【発明の詳細な説明】
【技術分野】
【０００１】
本発明はコレクトコール方法及びそのシステムに関するもので、より詳細には、受信者の所望する情報をコレクトコールにより音声で受信できるようにしたTTSを用いるコレクトコールサービスの提供方法及びその装置に関する。
【背景技術】
【０００２】
インターネットを通じて提供されている多様なサービス中で最も利用頻度の多いサービスは検索サービスである。検索サービスは、利用者が入力した検索語や自然語を用いて一番相応しいウェブサイトやその他資料を捜してくれるサービスである。韓国にてサービス中である代表的な検索サービスサイトは、Ｙａｈｏｏ、Google、Ｎａｖｅｒ 、Empasなどがある。
【０００３】
しかし、検索サービスは利用者の所望する内容の資料がインターネット上に存在すればこそその結果を提供することができるという点から限界にぶつかり、その代案として登場したサービスが知識検索サービスである。知識検索サービスとは、利用者が質問をインターネットサイトに登録すれば、その答が分かっている他の使用者が返事を作成して登録することであって、利用者の要求事項にほとんど１００％符合する結果を得ることができるし、利用者の質問作成時インターネット上に返事が存在しないとしても一定時間以内に返事を得ることができるという長所がある。現在国内でサービス中である大部分の検索サービスサイトは知識検索サービスを提供しているかまたは提供を準備している。
【０００４】
しかし、知識検索の場合にも次のような短所がある。一般検索サービスはほとんどリアルタイムでその結果を確認できるが、知識検索サービスの場合、既存に同じ質問と返事が存在しないと当該質問の返事が分かる利用者が返事を作成するまでの時間がかかる。よって、質問した利用者はいつ返事が上って来るか知らないので毎度自分の質問の登録されたウェブページを確認しなければならない。これを解決するために返事が登録されると電子メールや短文メッセージを受信者のＰＣや携帯電話に通知するサービスが既にあるが、結局インターネットを通じて当該ページに接続しなくてはその返事を確認することができない。
【０００５】
また、知識検索はインターネットでのみサービスされているので、インターネットの接続が容易くない状況ではサービスの利用ができないという短所がある。
【０００６】
他のインターネット応用サービス、例えば、特定イベントの発生時手短な情報は短文メッセージなどで使用者に通知し詳しい情報はインターネットを通じて提供するサービスも知識検索サービスと同じくインターネットに接続してない状況では詳しい情報を確認することができない。例えば、メールサービスの場合電子メール受信のようなイベント発生時短文メッセージなどで新規メール受信の可否が使用者に通知されるが、その内容を確認するためにはインターネットに接続しなくてはならない。そして、 掲示板またはブログに新規掲示物が登録された場合にも使用者はインターネットに接続した以後にだけ確認が可能となる。また、使用者が関心種目として登録した会社の公示がある場合公示があったということは分かるが、具体的な情報は当該会社のホームページや証券関連機関のホームページに接続しなくては分からない。このようなインターネット応用サービスは、使用者が設定したイベントの発生時インターネットに接続した使用者に詳しい内容（メール全文、新規掲示物全文、全体公示内容など）を伝達できる方法とシステムは多く公開されているが、インターネットに接続してない使用者にこれを伝達できる方法とシステムはまだ存在しなかった。
【発明の開示】
【発明が解決しようとする課題】
【０００７】
本発明は上記従来技術の問題点を解決するために案出されたもので、本発明の目的は受信者の所望する情報を音声に変換して提供するコレクトコールによりサービスできる方法及びそのシステムを提供することである。本発明は、従来の知識検索サービスを改良して知識検索結果が登録されるとこれを音声に変換して受信者の通信端末機に伝送することで、受信者が質問に対する返事の登録の可否を毎度確認する必要がなく便利に音声で知識検索結果を受信できるようにすることである。
【０００８】
本発明の他の目的は受信者の所望する情報を受信者負担電話通話（以下ではコレクトコールとする）を通じて伝送することである。
【０００９】
本発明のまた他の目的は知識検索結果を受信者の通信端末機に伝送するために伝送路の一部区間をＶｏＩＰ網を利用することにより、サービス提供に必要となる費用を減らすことである。
【００１０】
本発明のまた他の目的は受信者がウェブを通じて受信した質問に対する返事を音声に変換した後別途の付加装備なしで受信者の通信端末機に伝送できるようにすることである。
【００１１】
本発明のまた他の目的は受信者がインターネットを通じなくても知識検索サービスを利用できるようにすることである。
【００１２】
本発明のまた他の目的は、インターネット応用サービス利用者があらかじめ設定した非周期的なイベントの発生時当該イベントの詳しい内容をインターネットに接続しなくても自分の通信端末機にかかって来るコレクトコールをただ受信することで音声に変換された詳しい内容を聴取できるようにすることである。
【課題を解決するための手段】
【００１３】
上記の目的を果たすために、本発明の一実施形態によれば、受信者の端末機及びコレクトコール交換器とネットワークを通じて結合されたＴＴＳ-コレクトコールサーバにて上記受信者の端末機より要請された情報を音声に変換してコレクトコールを通じて上記受信者の通信端末機に提供する方法において、ＴＴＳ-コレクトコールサーバが受信者の端末機から受信したイベントの条件及び上記イベントの条件を満足するイベントの発生時詳細内容を伝送するための通信端末機識別情報を登録するし、上記イベントの条件を満足するイベント発生の可否を判断して、上記イベントの条件を満足するイベントが発生すれば、上記通信端末機識別情報を含むコレクトコール要請を上記コレクトコール交換器に伝送し、上記コレクトコール要請に相応する上記通信端末機の承認要請を上記コレクトコール交換器を経由して受信して、上記イベントの詳細内容を音声に変換して上記コレクトコール交換器を通じて上記通信端末機に伝送する段階を含むＴＴＳを用いたコレクトコールサービス提供方法が提供される。
【００１４】
本発明の他の実施形態によれば、受信者が要請した情報を音声に変換してコレクトコールを通じて上記受信者の通信端末機に提供する装置において、受信者からイベントの条件及び通信端末機識別情報を受信して登録するし、上記イベントの条件に符合するイベント発生を感知し、上記受信者の通信端末機にコレクトコールを要請して繋がれると上記発生されたイベントの詳細内容を音声に変換して上記受信者の通信端末機に伝送するＴＴＳ-コレクトコールサーバ及び、上記ＴＴＳ-コレクトコールサーバから上記通信端末機識別情報に相応する上記受信者の通信端末機へのコレクトコール連結要請を受信すれば上記受信者の通信端末機に連結して、上記ＴＴＳ-コレクトコールサーバから受信した音声を上記受信者の通信端末機に伝送するコレクトコール交換器を含むＴＴＳを用いたコレクトコール装置が提供される。
【００１５】
以下、本発明の属する技術分野で通常の知識を持った者が本発明の技術的思想を容易く実施できるように詳しく説明するために本発明の好ましい実施例を添付された図面を参照して説明する 。
【発明を実施するための最良の形態】
【００１６】
図１は本発明によるＴＴＳを用いたコレクトコールサービスの提供システムの全体構成図である。ＴＴＳを用いたコレクトコールサービスの提供システムは、受信者が所望する情報を音声に変換して通信端末機を通じて受信できるシステムである。ここで、通信端末機は通信サービス提供者と利用者間に課金に関して約定されている任意の通信サービスを利用できる端末機であって、ＰＳＴＮ網に繋がれた電話機または無線網に繋がれた移動通信端末機などが通信端末機に該当される。以外にも前払い型 ＶｏＩＰ端末機、ＴＲＳ端末機など多様な形態の端末機が本発明に適用され得る。本発明では説明の便宜のためにＰＳＴＮ網に繋がれた電話機及び無線網に繋がれた移動通信端末機を例として説明するが、本発明の適用対象がこれに限定されるのではない。以下では説明の便宜のためにＰＳＴＮ網と無線網を音声網と総称する。
【００１７】
質問（元の掲示物）に対する返事（返事掲示物）は音声に変換されて伝送されるし、音声を伝送するために受信者の通信端末機に繋がれる呼は受信者が負担するコレクトコールである。以下では、返事に相応する音声がコレクトコール交換器まで伝送される経路がＩＰ網である第１実施例と、音声網である第２実施例が詳しく説明されている。ここで、第１実施例と第２実施例にて受信者はＩＰ網に繋がれた端末機（例えば、ＰＣ、ＰＤＡ、移動通信端末機など）を通じてイベント条件をテキストで入力する。しかし、必ずＩＰ網に連結できる端末機を通じるだけイベント条件を入力できることではない。例えば、音声網より提供されるＳＭＳを通じても受信者はイベント条件をＴＴＳ-コレクトコールサーバに伝送できる。しかし、説明の便宜と不必要な重複を避けるために、本詳細な説明ではイベント条件を作成して登録するための手段としてＩＰ端末機を用いる実施例だけ説明する。一方、第３実施例で、受信者は音声で質問内容を入力することもできる。音声で入力されたイベント条件に相応する詳細内容は音声網及び ＩＰ網の中のいずれか一つの経路を通じてコレクトコール交換器に伝送できる。
【００１８】
図１を参照して第１実施例を説明すれば、本発明によるＴＴＳを用いたコレクトコールサービス提供システムは、受信者のＩＰ端末機１００ａ、１００ｂ、１００ｃ、 受信者通信端末機１１０、返事者通信端末機１２０、ＴＴＳ-コレクトコールサーバ２００ａ 及びコレクトコール交換器２１０で構成される。
【００１９】
ＶｏＩＰ基盤のコレクトコールを用いてサービスを提供する場合、ＴＴＳを用いたコレクトコールサービス提供システムは、ＴＴＳ-コレクトコールサーバ側ゲートウェイ、コレクトコール交換器側ゲートウェイ、ゲートキーパとコレクトコールプロキシサーバをさらに含むことができる。ＴＴＳ-コレクトコールサーバ２００ａ、ＴＴＳ-コレクトコールサーバ側ゲートウェイ及びコレクトコール交換器側ゲートウェイはＶｏＩＰ標準を支援するＩＰ網を通じて結合されるし、コレクトコール交換器及び受信者通信端末機は公衆電話網/移動通信網/ＶｏＩＰ網を通じて結合される。また、本発明でのゲートウェイは互いに違うネットワークに接続するための関門、すなわち、ノードを意味することで、Ｈ．３２３標準に応じて具現された本発明の実施例を説明するために使用される。したがって、Ｈ．３２３標準と異なる標準に応ずるＶｏＩＰ網（例えば、ＳＩＰプロトコルを用いる網）の場合Ｈ．３２３に応ずるゲートウェイは相応する構成要素に入れ替えされ得ることは本発明の属する分野で通常の知識を持った者であれば容易く理解できるだろう。ＴＴＳ-コレクトコールサーバ側ゲートウェイは多様な形態で存在することができる。ソフトウェア/ハードウェア的に具現されたモジュール形態でＴＴＳ-コレクトコールサーバ２００ａに含まれるかＶｏＩＰ 網に繋がれた別途の装置で具現されることができる。ＴＴＳ-コレクトコールサーバ２００ａにより生成されるコレクトコール通話要請はＴＴＳ-コレクトコールサーバ側ゲートウェイまたはコレクトコール交換器側ゲートウェイがコレクトコールであることを識別できる情報と受信者端末番号を含む。そして、コレクトコール通話要請はＴＴＳ-コレクトコールサーバ側ゲートウェイがコレクトコール交換器側ゲートウェイに直接コレクトコール通話要請を伝送できるようにコレクトコール交換器側ゲートウェイ接続情報をさらに含むことができる。本発明によるＴＴＳを用いたコレクトコールサービス提供システムが、呼認証（RAS）及びゲートウェイ割り当てを遂行するゲートキーパを含むかまたはコレクトコールプロキシサーバを含む場合、コレクトコール交換器側ゲートウェイ接続情報またはゲートキーパ/コレクトコールプロキシサーバ接続情報の中のいずれか一つを含むことができる。コレクトコール交換器側ゲートウェイはＶｏＩＰ網を通じてＴＴＳ-コレクトコールサーバ側ゲートウェイと結合するし、コレクトコール交換器と電気的に結合する。コレクトコール交換器側ゲートウェイは、ＶｏＩＰ網を通じてＴＴＳ-コレクトコールサーバ２００ａより受信したコレクトコール通話要請に相応してＴＴＳ-コレクトコールサーバ側ゲートウェイとＨ．３２３標準に応ずる経路を設定して上記受信者通信端末機との音声通話ができるようにする。そして、ＶｏＩＰ網を通じて要請されたコレクトコール要請であることをコレクトコール交換器に通知してコレクトコール交換器が課金算出に利用できるようにする。
【００２０】
本発明の第１実施例で、ＶｏＩＰ網の利用に対しては別途の課金をしなく、コレクトコール交換器と受信者通信端末機間に設定されたＰＳＴＮリンクに対してだけ課金するので、従来のＶｏＩＰシステムの運営方式とは違ってコレクトコール交換器側ゲートウェイに対する接続情報を公開できる。従来のＶｏＩＰシステムでは発信側あるいは受信側ゲートウェイに対する接続情報が公開される場合、無料通話のためのハッキングコールが頻繁に発生する。これを防止するために、従来のＶｏＩＰシステムでのゲートウェイに対する接続情報は主にゲートキーパにより管理されて、使用者は明示的にこれがわからない。したがって、既に他のＶｏＩＰシステムを利用するためにゲートウェイを具備した発信者は公開された受信側ゲートウェイ情報を通じて本発明による受信側ゲートウェイに直接接続できる。他の実施例で、コレクトコール交換器側ゲートウェイが各地域別に設置されてゲートキーパまたはコレクトコールプロキシサーバのようにＶｏＩＰ網管理のための構成要素がＶｏＩＰ システムに含まれると、上述したようにゲートキーパまたはコレクトコールプロキシサーバに対する接続情報も公開され得る。コレクトコール交換器２１０はコレクトコール交換器側ゲートウェイと電気的に結合するし、音声網を通じて受信者通信端末機１１０と結合される。コレクトコール交換器２１０は、コレクトコール交換器側ゲートウェイから受信したコレクトコール通話要請に相応して上記コレクトコール交換器側ゲートウェイ及び上記受信者通信端末機１１０とＰＳＴＮリンクを設定し、上記受信者通信端末機１１０から受信されたコレクトコール受信要請に相応してＴＴＳ-コレクトコールサーバ２００ａと受信者通信端末機１１０間に音声通話を連結する。そして、受信者通信端末機と ＴＴＳ-コレクトコールサーバ２００ａ間に音声通話が繋がれると、利用料金算出のための課金を遂行する。本発明による好ましい実施例では、コレクトコール交換器２１０と受信者通信端末機１１０間に設定されたＰＳＴＮリンクによる利用料金だけが受信者負担料金として算出されるが、受信者負担料金は時間当り料金と総通話時間の積で算出されることが好ましい。しかし、上述した受信者負担料金算出方式の以外にコレクトコール交換器２１０を運用する通信事業者の政策に応じて多様な料金算出方式が可能であり、この場合にも課金対象はコレクトコール交換器２１０と受信者通信端末機１１０間の音声網に限る。コレクトコールプロキシサーバは本発明によるＴＴＳ-コレクトコールサーバ２００ａと受信者通信端末機１１０間の音声通話路の構成において、多数の異機種網（音声網、ＶｏＩＰ 網、発信者/受信者負担音声網）に本発明によるビジネスロジッグを適用するための役目を遂行する。具体的に、コレクトコールプロキシサーバは、ＴＴＳ-コレクトコールサーバ２００ａが要請した番号に応ずる多くの通信網事業者の受信者負担サービス網及びＶｏＩＰ網への連結を中継する通信網ラウティング機能と、ＴＴＳ-コレクトコールサーバ別通話統計及びＣＩＤ（発信者確認サービス）など付加サービス提供のための呼の統計/付加サービス機能及び各通信網別課金統計及び呼の処理管理をするＯＡ＆Ｍ（Operation、Administration、Management）機能を遂行する。
【００２１】
ＴＴＳ-コレクトコールサーバ２００ａは、受信者ＩＰ端末機１００ａ、１００ｂ、１００ｃから受信されたイベント条件を登録して管理するし、登録されたイベント条件に相応するイベントの発生時これを音声に変換して受信者の通信端末機に伝送する機能を遂行する。ここで、イベント条件は質問に対する返事が登録されるとコレクトコールを受信者にかけることである。ＴＴＳ-コレクトコールサーバ２００ａは、受信者が質問内容を入力できるようにウェブページを基本的に提供するし、受信者の質問内容入力の前または入力の後に受信者からの音声受信の可否と音声受信選択時電話番号を入力できる入力窓または入力メニューを提供する。受信者の音声受信選択時入力された情報は別途のデータベースに保存されると同時に音声受信が選択された質問に対して返事が登録されるのかの可否がモニタリングされる。返事が登録されるとＴＴＳ-コレクトコールサーバ２００ａは保存されている電話番号にコレクトコールを要請し、受信者がコレクトコールを承諾すれば返事内容を音声に変換してコレクトコール交換器を通じて受信者通信端末機に伝送する。ＴＴＳ-コレクトコールサーバ２００ａは他のサーバに統合されるかまたは別途のサーバで具現できる。
【００２２】
図１を参照して第２実施例を説明すれば、本発明によるＴＴＳを用いたコレクトコールサービス提供システムは、受信者のＩＰ端末機１００ａ、１００ｂ、１００と 受信者通信端末機１１０、返事者通信端末機１２０、ＴＴＳ-コレクトコールサーバ２００ｂ、コレクトコール交換器２１０及び ＣＴＩ２２０で構成されるし、追加的に管理サーバ２３０をさらに含むことができる。第１実施例と比較される第２実施例の特徴はコレクトコール交換器とＴＴＳ-コレクトコールサーバ２００ｂ間の伝送路が音声網に設定されることである。以下、第２実施例にて説明されるコレクトコールシステムを先立って説明したＶｏＩＰ基盤コレクトコールシステムとの区別のためにＰＳＴＮ基盤コレクトコールシステムとする。
【００２３】
ＴＴＳ-コレクトコールサーバ２００ｂは、受信者ＩＰ端末機１００ａ、１００ｂ、１００ｃから受信されたイベント条件を登録して管理するし、登録されたイベント条件に相応するイベントの発生時これを音声に変換して受信者の通信端末機に伝送する機能を遂行する。ここで、イベント条件は質問に対する返事が登録されるとコレクトコールを受信者にかけることである。ＴＴＳ-コレクトコールサーバ２００ｂは、受信者の質問内容が入力できるようにウェブページを基本的に提供するし、受信者の質問内容入力の前または入力の後に受信者から音声受信の可否と音声受信の選択時電話番号の入力ができる入力窓または入力メニューを提供する。受信者が音声受信の選択時入力された情報は別途のデータベースに保存されると同時に音声受信選択された質問に対して返事が登録されるのかの可否がモニタリングされる。返事が登録されるとＴＴＳ-コレクトコールサーバ２００ｂは保存されている電話番号にコレクトコールを要請し、受信者がコレクトコールを承諾すれば返事内容を音声に変換してコレクトコール交換器を通じて受信者通信端末機に伝送する。第２実施例で、ＴＴＳ-コレクトコールサーバ２００ｂはＴＴＳ-コレクトコールサーバに統合されるかまたは別途のサーバで具現できるし、返事者のＩＰ端末機でも具現できる。
【００２４】
管理サーバ２３０は、受信者が質問を作成して登録するウェブページと返事者が返事内容を入力するウェブページが互いに分離されている場合、すなわち、少なくとも一つ以上の掲示板を当該ウェブページのサーバではなく別途のサーバが管理しながら質問が登録されればこれを予め指定されている返事者に伝送する。管理サーバ２３０は質問内容を返事者に伝送する機能以外に質問及び返事に応ずるコレクトコール料金精算機能をさらに含むことができる。コレクトコール料金精算は当該質問をどの返事者にフォワーディングしたのか、当該返事者が登録した返事を受信者が受信すれば当該コレクトコールの料金がいくらであるかを管理する機能である。
【００２５】
ＣＴＩ２２０は、ＴＴＳ-コレクトコールサーバ２００ｂと音声網間の連動を遂行するし、ＴＴＳ-コレクトコールサーバ２００ｂから出力された音声を受信者の通信端末機に伝送するためにコレクトコール交換器とのＰＳＴＮ呼を設定する機能を遂行する。すなわち、ＴＴＳ-コレクトコールサーバ２００ｂから要請された受信者通信端末機１１０との呼設定要請に応じてＣＴＩ２２０はコレクトコール交換器２１０に呼設定要請を伝送し、受信者がコレクトコールを承諾して受信者の通信端末機１１０との ＰＳＴＮ呼が設定されるとＴＴＳ-コレクトコールサーバ２００ｂから出力される音声を設定されたＰＳＴＮ呼を通じて伝送する。
【００２６】
図１を参照して第３実施例を説明すれば、本発明によるＴＴＳを用いたコレクトコールサービス提供システムは、受信者通信端末機１１０、ＴＴＳ-コレクトコールサーバ２００ｂ、コレクトコール交換器２１０及びＣＴＩ２２０で構成される。第３実施例の特徴を上記第１実施例及び第２実施例と比べると、（１）受信者が通信端末機１１０を通じて質問を音声で登録できるし、（２）音声で登録された質問に対する返事は音声認識またはオペレータによりテキストに変換されて検索エンジンを通じて検索されるかまたは掲示板に登録される。特に、第３実施例には、音声に変換された返事のコレクトコール交換器まで伝送される経路がＰＳＴＮまたはＶｏＩＰの中のいずれかの一つに限定されなく多様に適用可能である。
【００２７】
ＣＴＩ２２０は、ＴＴＳ-コレクトコールサーバ２００ｂと音声網間の連動を遂行するし、受信者が通信端末機１１０を用いて試みたＰＳＴＮ呼に返事するし、受信者の質問を録音してまたは受信された音声をそのままＴＴＳ-コレクトコールサーバ２００ｂに伝達し、ＴＴＳ-コレクトコールサーバ２００ｂから出力された音声を受信者の通信端末機に伝送するためにコレクトコール交換器とのＰＳＴＮ呼を設定する機能を遂行する。すなわち、ＴＴＳ-コレクトコールサーバ２００ｂから要請された受信者通信端末機１１０との呼設定要請に応じてＣＴＩ２２０はコレクトコール交換器２１０に呼設定要請を伝送するし、受信者がコレクトコールを承諾して受信者の通信端末機１１０とのＰＳＴＮ呼が設定されるとＴＴＳ-コレクトコールサーバ２００ｂから出力される音声を設定されたＰＳＴＮ呼を通じて伝送する。
【００２８】
ＴＴＳ-コレクトコールサーバ２００ｂは、受信者通信端末機１１０から受信された質問を音声認識ソフトウェアまたはハードウェアを用いてテキストに変換するか、 複数のオペレータに分配して変換されたテキストの入力を受ける。変換されたテキストは（１）変換されたテキスト自体を検索語として自然語検索エンジンを通じて返事を検索するのに利用されるか、（２）変換されたテキストから検索語を抽出して検索エンジンを通じて返事を検索するのに利用されるか、（３）別途の掲示板に登録されるかまたは（４）特定返事者に伝達して返事を作成するのに利用されることができる。変換されたテキストから検索語を抽出する方式はソフトウェアで具現できるし、オペレータによっても遂行できる。テキストから検索語を抽出する方式は自然語検索技術分野で既によく知られた技術であり、特定の抽出方式に限定されなく適用可能であるので、詳細な説明は略する。特定返事者に伝達する方式は、受信者が自分の質問の範疇（category）を選択できるようにＡＲＳ音声メニューを提供するかまたはオペレータにより質問の範疇が分類されるようにする方法を通じて具現できる。自然語検索または検索語検索による結果は、検索エンジンが提供する類似度、一致度などの基準値を用いて一番高い点数を有する検索結果が選択されて提供されることが好ましい。掲示板に質問を登録する方式と特定返事者に質問を提供する方式は先立って説明したので詳細な説明を略する。
【００２９】
図２は本発明の好ましい第１実施例を示すフローチャートである。図２に示された第１実施例はＶｏＩＰ基盤コレクトコールシステムにて実施され、イベント条件が受信者の登録した質問に対する返事が登録されるとコレクトコールを受信者の通信端末機にかけることを特徴とする。段階 ３００で、受信者はＴＴＳ-コレクトコールサーバに接続した後質問を作成できるウェブページを自分のＩＰ 端末機にダウンロードした後質問を作成する。受信者が質問作成を完了した後ウェブページに含まれた完了ボタンまたは登録ボタンを選択すれば、段階 ３１０で、作成された質問内容がＴＴＳ-コレクトコールサーバに送信されて保存される。ここで、受信者は自分の質問に対する返事をコレクトコールを通じて音声に聴取することを選択できるし、これは受信者が質問内容を入力する前または入力した後にコレクトコール要請の可否とコレクトコールを受信する電話番号を入力しなければならない。ＴＴＳ-コレクトコールサーバの運営政策に応じて会員認証を経った受信者はコレクトコール要請の可否及び電話番号入力手続きの中のいずれかの一つまたは両方とも省略され得る。ＴＴＳ-コレクトコールサーバは質問内容のみを掲示板などを通じて公開し、受信者の電話番号は公開しないことが好ましい。
【００３０】
段階３２０で、公開された質問内容を閲覧した返事者は自分のＩＰ端末機に返事作成ウェブページをダウンロードした後質問に対する返事を作成する。返事作成を完了した後ウェブページに含まれた完了ボタンまたは登録ボタンを選択すれば、段階３３０から作成された返事内容がＴＴＳ-コレクトコールサーバに送信されて保存される。
【００３１】
段階 ３４０で、音声で返事を聴取することに選択された質問に対する返事が登録されると、ＴＴＳ-コレクトコールサーバはゲートウェイを通じて受信者の通信端末機へのコレクトコールの要請をコレクトコール交換器に伝送する。ここで、上記コレクトコール要請は受信者が音声返事を聴取することに設定した通信端末機識別情報（例えば、電話番号）を含んで、ＩＰ網を通じて伝送される。さらに、ＴＴＳ-コレクトコールサーバとコレクトコール交換器間にＶｏＩＰ呼が設定される。段階３５０で、 ＴＴＳ-コレクトコールサーバからコレクトコール要請を受信したコレクトコール交換器は、通信端末機識別情報を用いて受信者通信端末機にコレクトコールをかける。段階 ３７０で、受信者がコレクトコールに応答し、コレクトコールを承認して交換器と通信端末器間にＰＳＴＮ呼が設定されると、段階３８０で、ＴＴＳ-コレクトコールサーバは返事内容を音声に変換してコレクトコール交換器まではＶｏＩＰ呼を通じて伝送するし、以後段ではＰＳＴＮ呼を通じて伝送する。
【００３２】
上述した第１実施例はコレクトコール交換器までの音声伝送路が受信者に課金されない区間であるので、他の実施例に比べてサービス利用料金を安価に策定することができる長所がある。
【００３３】
以下、本発明をインターネット応用サービスに適用して受信者が設定した特定イベントの発生時イベント内容をコレクトコールで伝達する実施例を手短に説明する。
【００３４】
ウェブサイトの掲示板またはブログの掲示板の場合に受信者は、（１）新規元の記載の掲示物が登録されるとか、（２）新規返事掲示物が登録されるかまたは（３）特定使用者が新規元の記載の掲示物または新規返事掲示物を登録する場合に登録された新規元の記載の掲示物または新規返事掲示物の内容を受信者通信端末機にコレクトコールをかけるようにイベント条件を設定することができる。この場合、受信者は新規元の記載の掲示物作成者であり、返事者は新規返事掲示物作成者となる。ＴＴＳ-コレクトコールサーバは受信者からイベント条件の入力を受けて管理する。イベント条件はコレクトコールを要請した使用者情報と設定情報を含むが、使用者情報は新規元の記載の掲示物/返事掲示物の登録時コレクトコールを要請した使用者に関する情報であり、設定情報は新規元の記載の掲示物の登録時コレクトコール要請であるのか、新規返事掲示物の登録時コレクトコール要請であるのかを表示する情報と特定使用者を選択した場合当該使用者情報（例えば、ＩＤなど）である。ＴＴＳ-コレクトコールサーバは新規元の記載の掲示物の登録時返事掲示物登録の可否を待たなく（すなわち、段階３３０を行わない）すぐ段階３４０に進行する。万一、 使用者が、特定使用者の新規元の記載の掲示物/返事掲示物を乗せた場合にだけコレクトコールをかけることに設定した場合、ＴＴＳ-コレクトコールサーバはイベントの発生時当該使用者があらかじめ選択されている使用者リストに含まれているかを判断して含まれている場合コレクトコールをかけることができる。ＴＴＳ-コレクトコールサーバは新規返事掲示物作成のすぐにコレクトコールをかけるか返事掲示物の作成者があらかじめ選択された使用者リストに含まれているかを判断して含まれている場合にだけコレクトコールをかけることもできる。
【００３５】
図３は本発明の好ましい第２実施例を示すフローチャートである。図３に示された第２実施例はＰＳＴＮ基盤コレクトコールシステムにて実施されることを特徴とする。 段階４００で、受信者はＴＴＳ-コレクトコールサーバまたは別途の管理サーバによって管理されるウェブサーバに接続した後質問の作成できるウェブページを自分のＩＰ端末機にダウンロードした後質問を作成する。受信者が質問作成を完了した後ウェブページに含まれた完了ボタンまたは登録ボタンを選択すれば、段階４１０及び段階 ４２０から作成された質問内容がＴＴＳ-コレクトコールサーバに送信されて保存される。ここで、受信者は自分の質問に対する返事をコレクトコールを通じて音声に聴取することを選択することができるし、この場合、受信者が質問内容を入力する前または入力した後コレクトコール要請の可否とコレクトコールを受信する電話番号を入力しなければならない。
【００３６】
段階４３０で、伝送された質問内容を閲覧した返事者はＴＴＳ-コレクトコールサーバにて直接返事作成または自分のＩＰ端末機に返事作成ウェブページをダウンロードした後質問に対する返事を作成する。返事作成を完了した後ウェブページに含まれた完了ボタンまたは登録ボタンを選択すれば、作成された返事内容がＴＴＳ-コレクトコールサーバに保存される。
【００３７】
段階４４０で、音声で返事を聴取することに選択された質問に対する返事が登録されると、ＴＴＳ-コレクトコールサーバはＣＴＩを通じて受信者の通信端末機へのコレクトコール要請をコレクトコール交換器に伝送する。ここで、上記コレクトコール要請は受信者が音声返事を聴取することに設定した通信端末機識別情報（例えば、電話番号）を含み、音声網を通じて伝送される。さらに、ＴＴＳ-コレクトコールサーバとコレクトコール交換器間にＰＳＴＮ呼が設定される。すなわち本段階ではＣＴＩまたはＴＴＳ-コレクトコールサーバがコレクトコール交換器へ電話をかける。しかし、他の実施例ではコレクトコール交換器がＣＴＩ、管理サーバ、ＴＴＳ-コレクトコールサーバまたは返事者の通信端末機へ電話をかけることもできる。すなわち、管理サーバまたはＴＴＳ-コレクトコールサーバがＣＴＩ、管理サーバ、ＴＴＳ-コレクトコールサーバまたは返事者の通信端末機へ電話をかけるようにコレクトコール交換器に要請すれば、コレクトコール交換器がＣＴＩ、管理サーバ、ＴＴＳ-コレクトコールサーバまたは返事者の通信端末機へ電話をかけることとなる。本過程は受信者の通信端末機とのＰＳＴＮ呼が設定された以後に実行されることができる。
【００３８】
段階４５０で、ＴＴＳ-コレクトコールサーバからコレクトコール要請を受信したコレクトコール交換器は、通信端末機識別情報を用いて受信者通信端末機へコレクトコールをかける。段階４７０で、受信者がコレクトコールに応答し、コレクトコールを承認して交換器と通信端末器間にＰＳＴＮ呼が設定されると、段階４８０で、ＴＴＳ-コレクトコールサーバは返事内容を音声に変換してＰＳＴＮ呼を通じて伝送する。
【００３９】
上述した第２実施例はＶｏＩＰソフトウェア及び装備を具備しなくても既に設置されたＣＴＩ装備を用いてコレクトコールサービスを提供できる長所がある。
【００４０】
図４は本発明の好ましい第３実施例を示すフローチャートである。段階５００で、受信者はあらかじめ分かっている電話番号を用いてＴＴＳ-コレクトコールサーバが繋がれているＣＴＩに電話をかけた後、ＡＲＳ音声案内に応じてあらかじめ指定された登録手続きを経った後イベント条件を音声で言う。ここで、電話番号はＴＴＳ-コレクトコールサービスのための専用番号であり、ＣＴＩは受信者からの電話を受ければ音声録音に必要な手続きを音声で案内する。必要な手続きは受信者が自分のイベントに関する範疇を指定するようにする音声案内と、これに相応して受信者が入力した情報を受信する過程を含むことができる。段階５１０で、受信者が音声でイベント条件を説明し始めるとＣＴＩは直接録音した後録音内容をＴＴＳ-コレクトコールサーバに伝送するかまたは録音過程なしにそのままＴＴＳ-コレクトコールサーバに伝送できる。ＣＴＩ録音の場合受信者が情報入力を終えると録音された内容をＴＴＳ-コレクトコールサーバに伝送し、受信者の通信端末機と繋がれた呼を終了する。ＣＴＩの録音しない場合にも受信者が情報入力を終えるかまたは繋がれた呼を終了すれば情報受信の終わったことをＴＴＳ-コレクトコールサーバに通知する。
【００４１】
段階５２０で、録音された入力情報を受信するかまたは直接録音したＴＴＳ-コレクトコールサーバは（１）音声認識ソフトウェアまたはハードウェアを用いて入力内容をテキストに変換するか（２）オペレータが入力内容を聞いてこれをテキストに変換する。 変換されたテキストはＴＴＳ-コレクトコールサーバに保存される。
【００４２】
段階 ５３０で、ＴＴＳ-コレクトコールサーバは変換されたテキストをそのまま自然語検索エンジンに検索語として挿入して入力内容に符合する結果を検索する。 ここで、検索エンジンはＴＴＳ-コレクトコールサーバ内に構築され得るし、インターネットを通じて接続可能な他の検索エンジンを用いることもできる。他の実施例でＴＴＳ-コレクトコールサーバは、変換されたテキストから検索語として相応しい単語たちを抽出して検索語として利用することができる。また他の実施例で、変換されたテキストは任意の返事者が返事を作成するまで掲示板に登録されることもできる。また他の実施例で、変換されたテキストは予め指定された返事者に伝達されて当該返事者が返事を作成するようにすることもできる。検索エンジンにより返事が生成される場合には類似度または一致度などのように検索結果が検索語をある程度含んでいるかを現わす指標を用いて一番高い指標（hit ratio）を現わす検索結果が上記質問に対する応答に選択されるようにすることが好ましい。万一、オペレータが検索を実施する場合には検索結果をもとに返事を要約整理することもできる。掲示板に登録されたか、特定返事者に返事を要請した場合、返事が掲示板に登録されたり特定返事者から返事が伝送されれば検索が終わったことと見做す。
【００４３】
段階５４０で、音声で返事を聴取することに選択された質問に対する返事が登録されると、ＴＴＳ-コレクトコールサーバはＣＴＩを通じて受信者通信端末機へのコレクトコール要請をコレクトコール交換器に伝送する。ここで、上記コレクトコール要請は、受信者が音声で返事を聴取することに設定した通信端末機識別情報（例えば、電話番号）を含み、音声網を通じて伝送される。さらに、ＴＴＳ-コレクトコールサーバとコレクトコール交換器間ＰＳＴＮ呼が設定される。他の実施例でＴＴＳ-コレクトコールサーバがＶｏＩＰソフトウェアを具備したりまたはハードウェアと繋がれている場合にはコレクトコール交換器とＶｏＩＰ呼が繋がれる。詳細な説明は略する。
【００４４】
段階５５０で、ＴＴＳ-コレクトコールサーバからコレクトコール要請を受信したコレクトコール交換器は、通信端末機識別情報を用いて受信者通信端末機にコレクトコールをかける。段階５７０で、受信者がコレクトコールに応答し、コレクトコールを承認して交換器と通信端末器間にＰＳＴＮ呼が設定されると、段階５８０で、ＴＴＳ-コレクトコールサーバは返事内容を音声に変換してコレクトコール交換器を通じて受信者の通信端末機に伝送する。
【００４５】
上述した第３実施例はＩＰ網のようなオンライン上ではなく一般電話を用いたオフライン上でもサービスを提供できる長所がある。
【００４６】
以下、本発明をインターネット応用サービスに適用して使用者が設定した特定イベントの発生時イベント内容をコレクトコールで伝達する実施例を添付された図面を参照して説明する。
【００４７】
図５は本発明の好ましい第４実施例を示すフローチャートであり、図６はイベント条件が全体公知である場合コレクトコールを通じて提供する実施例を示す例示図であり、 図７はイベント条件が所望する情報検索の場合コレクトコールを通じて提供する実施例を示す例示図である。本発明によるＴＴＳ-コレクトコールサーバはウェブサーバから独立された別個のサーバで具現されることもできる。すなわち、ウェブサーバは任意の使用者から受信したイベント条件と通信端末機識別情報を管理し、設定された条件に該当するイベントが発生したのかを確認する機能のみを遂行するし、ＴＴＳ-コレクトコールサーバはウェブサーバから受信した情報（例えば、質問に対する返事内容など）をＴＴＳ変換して受信者通信端末機にコレクトコールをかける機能を遂行することができる。 以外にも、ウェブサーバがＴＴＳ変換を遂行し、ＴＴＳ-コレクトコールサーバが音声を受信してコレクトコールをかける機能を遂行するなどのような多様な変形が可能である。しかし、このような変形はすべて本発明の均等範囲に該当することであるので、具現可能なすべての変形に対する詳細な説明は略する。
【００４８】
段階６００で、受信者はＩＰ端末機を用いてＴＴＳ-コレクトコールサーバに接続した後イベント条件を選択する。イベント条件は検索語形式でまたはサービス提供者があらかじめ設定したメニュー方式で選択され得る。メニュー方式はサービスカテゴリ/サービス種類/サービス時間などをサービス提供者があらかじめ定めた範囲内より選ぶ方式である。提供可能なサービスに応ずるイベント条件を説明する。
【００４９】
電子メールサービスの場合使用者が任意のメールアドレスを選択し、選択された電子メールアドレスから電子メールが受信されれば使用者の通信端末機にコレクトコールをかけるように設定することができる。この場合、メールサーバは図５に示されたＴＴＳ-コレクトコールサーバと成り得る。メールサーバはメール送受信モジュール以外に追加的に使用者があらかじめ設定した電子メールアドレスのリストを管理するし、新たに受信した電子メールの発信者のメールアドレスが設定されているメールアドレスに含まれるのかの可否をモニタリングできるモジュールを含むことができる。コレクトコールをかけるモジュールはメールサーバだけではなくメールクライアント、すなわち個人用コンピュータにも設置され得るし、この場合、ＴＴＳ-コレクトコールサーバは個人用コンピュータと成り得る。すなわち、個人用コンピュータが電子メールを受信する場合メール内容を音声に変換して使用者の通信端末機にコレクトコールをかけることもできる。
【００５０】
受信者が特定コミュニティの会員であって公知事項または全体公知を要請した掲示物の内容をコレクトコールで受信しようとする場合にはコミュニティの加入時または会員情報変更を通じてこれを設定できる。コミュニティサービスサーバはコミュニティ管理者またはあらかじめ登録された会員が掲示物を登録したり、または全体/一部公知を要請する場合にＴＴＳ-コレクトコールを申し込んだ会員たちにコレクトコールを通じて掲示物の内容を伝達する。
【００５１】
受信者が情報検索のための条件を設定した後一定時間ごとにまたはリアルタイムで設定された条件に相応する情報の獲得時これをコレクトコールを通じて受信し得る。上述した他の実施例は情報院（information source）をメールサーバ、掲示板、またはコミュニティ会員に限定するが、本実施例は情報院は考慮しなく情報の内容（条件に対する一致度）に応じてＴＴＳ-コレクトコール提供の可否を決める差異がある。例えば、受信者が不動産情報を要請する場合イベント条件に符合する不動産がいつどのウェブサイトに登録されるかはわからない。よって、ＴＴＳ-コレクトコールサーバは受信者が登録したイベント情報を検索語として利用して不動産売買関連ウェブサイトを定期的に検索して一致する不動産情報を獲得する。勿論、実施例に応じてはＴＴＳ-コレクトコールサーバが検索語を各ウェブサイトに送信した後該当のウェブサイトたちが自体的に相応する不動産情報が登録されるとこれをＴＴＳ-コレクトコールサーバに伝送することもできるが、これは単純な変形に過ぎないので詳細な説明を略する。他の例としては、特定会社の公示をＴＴＳ-コレクトコールで要請する場合使用者があらかじめ任意の会社または公示の種類を選択さえすれば、当該公示の実際のウェブサイトに構わずに受信者通信端末機にコレクトコールをかけるように設定できる。
【００５２】
段階６１０で、受信者が入力した検索語または提供されたメニューより選択された項目たちがＴＴＳ-コレクトコールサーバに登録される。登録されたイベント条件は段階６２０で、相応するイベントが発生されたのかの可否を確認するのに利用される。
【００５３】
段階６２０で、ＴＴＳ-コレクトコールサーバは指定された方式に応じてイベント条件を満足するイベントが発生したのかを確認する。ここで、指定された方式とは上述したように特定メールアドレスからのメール受信、新規に登録された公知事項の感知、 または登録された検索語による検索結果の獲得などである。段階６３０ないし段階６７０は前に説明した段階と等しいので説明を略する。
【００５４】
図６を参照して本発明の実施例を説明すれば、複数の会員を保有したコミュニティ掲示板７００に公知要請とともに新規公知掲示物７１０が登録される。公知要請はコミュニティ管理者が新規掲示物を作成したり、一般使用者が自分で全体/一部公知を要請する場合を含む。ここで、コミュニティは、特別な目的を有する閉鎖的な集団（例えば、同好会、同門会など）のみを意味することではなく、等しい情報共有手段（例えば、 公開掲示板など）を利用する人々の集まりで解釈されるべきである。新規公知掲示物７１０の題目は定期会があるということで、掲示物の内容７２０は場所と時間を含む。掲示内容７２０をＴＴＳに変換してコレクトコールをかけるためには掲示物の作成時ＴＴＳ-コレクトコールの実行をチェックできるメニューボタンの提供が好ましいが、ＴＴＳ-コレクトコールサーバが新規掲示物の作成者や題目を分析してＴＴＳ-コレクトコール実行の可否を決めることもできる。
【００５５】
ＴＴＳ-コレクトコールサーバは複数の受信者に等しい内容を音声に変換して伝達するサービスのみを提供することもできる。すなわち、全体/一部公知の内容が掲示板に必ず掲示されなければならないことではない。したがって、任意の使用者は全体/一部公知の必要性のある情報と受信者の通信端末機識別情報を含む公知要請をＴＴＳ-コレクトコールサーバに伝送すれば、情報の掲示なしも複数の受信者に音声で情報が伝達され得る。
【００５６】
公知要請が受信されると、ＴＴＳ-コレクトコールサーバはコミュニティの会員の中で既に申し込んだ会員たちまたは公知要請に含まれた会員たちの連絡先の情報を会員データベース７３０から抽出する。会員データベース７３０には名前、ＩＤ、連絡先のような会員情報とＴＴＳ-コレクトコールを申し込んだのかの可否が保存される。 ＴＴＳ-コレクトコールを申し込んだ会員たちの情報を抽出して会員の通信端末機にコレクトコールを要請し、承諾すれば掲示物内容７２０をＴＴＳに変換して伝送する。
【００５７】
ＴＴＳ-コレクトコールサーバは伝送結果７４０を表示することができる。集まり公知の場合には送信結果７４０から受信者の数に応じて参加人員を予測できる。
【００５８】
図７を参照して本発明の他の実施例である情報クリッピング（information clＩＰping）を説明すれば、受信者がＴＴＳ-コレクトコールサーバに接続して所望する情報を入力する。入力の方式は検索語登録８００とＴＴＳ-コレクトコールサーバが提供するメニュー方式の中のいずれかを適用してもよい。図７に検索語登録８００の場合の例が示されている。検索語が登録されると、ＴＴＳ-コレクトコールサーバは一般検索サイトを検索して登録された検索語に符合する検索結果があるのかを確認する。万一、 登録時点を基準として相応しい情報が検索されなければ、周期的に検索を繰り返す。メニュー方式を通じて受信者の所望する情報のカテゴリが確定された場合には当該カテゴリに属したウェブサイトを主に検索することが好ましい。
【００５９】
他の変形の例で、ＴＴＳ-コレクトコールサーバはサービス可能なカテゴリ別情報提供サーバとネットワークを通じて結合され、各情報提供サーバが保有している情報を音声に変換して受信者に提供することができる。受信者がオフラインから発生する事件に対する情報、例えば、スポーツ競技の結果をＴＴＳ-コレクトコールに受信することを所望する場合、スポーツ競技結果をリアルタイムでアップデートして提供する情報提供サーバからアップデート情報（例えば、現在スコアなど）の提供を受けて受信者に伝送することができる。
【００６０】
段階８１０で、最初検索でも周期的な検索でも構わずに登録された検索語に符合する結果が獲得されると、当該内容をＴＴＳ-コレクトコールサーバがクリッピングする。検索結果がＴＴＳ-コレクトコールサーバ自体にて管理される掲示板または運営者が直接入力した情報である場合には、他のウェブサイトにて当該情報をクリッピングする過程が省略され得る。検索された情報は受信者に提供するための形態８３０に加工されることができる。すなわち、受信者が情報の価値をあらかじめ判断できるように、検索された情報に対する手短な説明、例えば、掲示物の題目を先にＴＴＳに変換して出力した後受信者が掲示物の内容を聴取するはずなのかを決定できるようにすることが好ましい。よって、初期出力内容には掲示物の題目とともに受信の可否を問う音声を出力し、受信者が聴取を選択すれば、掲示物の内容とともに当該情報が有效であるか（例えば、建物が既に売れたのか）または当該情報をどう利用するか（例えば、誰と契約をするべきなのかを分かるため）に関する情報（すなわち、掲示者の連絡先）を一緒に出力することが好ましい。
【００６１】
さらに、ＴＴＳ-コレクトコールサービス提供に対する課金情報をともに出力することができる。コレクトコールは通話料金を受信者が負担するが情報提供に対する課金は別に成り得る。すなわち、コレクトコールの受諾時通話料金と情報利用料を一緒に賦課することにより情報提供に対する課金が容易くなる。通話料金は一般コレクトコールと等しく、またはＶｏＩＰを利用したコレクトコールの場合には一般コレクトコールより安価で策定され得る。情報利用料も受信者の所望するサービスの種類に応じて多様に策定され得る。
【００６２】
以上では本発明の好ましい実施例を用いて本発明を詳しく説明した。しかし、 各実施例は、本発明の属する分野で通常の知識を持った者が本発明を容易く理解できるようにする説明の例示に過ぎないし本発明が上述した実施例に限定されることではない。本発明の権利範囲は下記の特許請求の範囲により解釈されるべきであり、本発明の構成要素を均等の範囲に属する新しい構成要素で単純に切り替えたり新しい構成要素を付加することは本発明の権利範囲を脱することではない。
【産業上の利用可能性】
【００６３】
上述したように本発明によれば、イベントの発生時これを音声に変換して受信者の通信端末機に伝送することにより受信者があらかじめ設定したイベント発生の可否を毎度確認する必要がなく便利に音声で結果を受信することができる。さらに、受信者負担電話通話（以下ではコレクトコールとする）を通じて発生したイベントの内容を伝送することにより、サービス提供に対する課金が容易い。
【００６４】
また、本発明によれば、発生したイベントの内容を受信者の通信端末機に伝送するために伝送路の一部区間をＶｏＩＰ網を利用することにより、サービス提供に必要となる費用が減少される效果がある。
【００６５】
また、本発明によれば、受信者がインターネットを通じなくても必要な情報を得ることができる。
【図面の簡単な説明】
【００６６】
【図１】本発明によるＴＴＳを用いたコレクトコールサービス提供システムの全体構成図である。
【図２】本発明の好ましい第１実施例を示すフローチャートである。
【図３】本発明の好ましい第２実施例を示すフローチャートである。
【図４】本発明の好ましい第３実施例を示すフローチャートである。
【図５】本発明の好ましい第４実施例を示すフローチャートである。
【図６】イベント条件が全体公知の場合コレクトコールを通じて提供する実施例を示す例示図である。
【図７】イベント条件が所望する情報検索の場合コレクトコールを提供する実施例を示す例示図である。
【図１】
2007526672.tif 000003
【図２】
2007526672.tif 000004
【図３】
2007526672.tif 000005
【図４】
2007526672.tif 000006
【図５】
2007526672.tif 000007
【図６】
2007526672.tif 000008
【図７】
2007526672.tif 000009
【国際調査報告】
2007526672.tif 000010